(57)【要約】【課題】  再帰反射率の高い微細なコーナーキューブアレイを、容易に製造することの可能な方法を提供する。【解決手段】  ベース基板２１にレジスト三角柱２２を形成し、これに対するメッキ処理によってＮｉ−Ｐ基板２３を形成する。Ｎｉ−Ｐ基板２３に切削加工を施して転写することで、三角柱状の凸部と三角錐プリズム（凹）とを１つおきに並べた反転型２４を形成する。反転型２４の正三角柱を、切削加工によって凸型の正三角錐に切削することで、ＭＣＣＡ２５を得る。上記の２回の切削加工は、平板に微細な三角錐プリズムアレイを形成する加工と同じである。また、２つの三角錐プリズムアレイを重ねる必要もない。従って、再帰反射率の高い微細なＭＣＣＡ２５を容易に形成できる。【選択図】  図１
2006189664.tif 000002
【特許請求の範囲】
【請求項１】
コーナーキューブアレイの製造方法において、
互いに合同の底面を有する正三角柱と凹型の三角錐プリズムとを交互に細密に配置したアレイ基板を形成する第１−１工程と、
アレイ基板上の正三角柱の上部を、上記の凹型の三角錐プリズムの面と連続する面を有する凸型の三角錐プリズムに切削する第１−２工程とを含んでいることを特徴とする、コーナーキューブアレイの製造方法。
【請求項２】
上記の第１−１工程は、
平坦なベース基板上に、複数の正三角柱を、互いの頂点を接した状態で同じ向きに配列する第２−１工程と、
上記の正三角柱の上部を凸型三角錐プリズムに切削する第２−２工程と、
第２工程で得られたベース基板を転写することによってアレイ基板を形成する第２−３工程と、
を含んでいることを特徴とする、請求項１に記載のコーナーキューブアレイの製造方法。
【請求項３】
上記第２−１工程は、
平坦なベース基板上に、レジストからなる複数の正三角柱を、互いの頂点を接した状態で同じ向きに配列する第３−１工程と、
このベース基板上にメッキを施し、レジストを剥離する第３−２工程と、
を含んでいることを特徴とする請求項２に記載のコーナーキューブアレイの製造方法。
【請求項４】
上記の第１−１工程は、
凹型の三角錐プリズムアレイに対し、その三角錐プリズム上に１つおきに正三角柱を形成する第４−１工程を含んでいることを特徴とする、請求項１に記載のコーナーキューブアレイの製造方法。
【請求項５】
上記第４−１工程は、
凹型の三角錐プリズムアレイに対し、その三角錐プリズム上に１つおきにレジストの正三角柱を形成する第５−１工程と、
この三角錐プリズムアレイにメッキを施し、レジストを剥離する第５−２工程と、
を含んでいることを特徴とする、請求項４に記載のコーナーキューブアレイの製造方法。
【請求項６】
上記第１−１工程で形成される凹型の三角錐プリズムの底点と、正三角柱の上面を含む面との距離が、製造後のコーナーキューブアレイの凹凸高さよりも高くなっていることを特徴とする、請求項１に記載のコーナーキューブアレイの製造方法。
【請求項７】
上記正三角柱の高さｈ１と、製造後のコーナーキューブアレイの凹凸高さＨとの関係を、
Ｈ＜ｈ≦１．５×Ｈ
の範囲に設定することを特徴とする、請求項６に記載のコーナーキューブアレイの製造方法。
【請求項８】
上記正三角柱の高さｈ１が、製造後のコーナーキューブアレイの凹凸高さＨとの関係を、
Ｈ＜ｈ≦Ｈ＋５μｍ
の範囲に設定することを特徴とする、請求項６に記載のコーナーキューブアレイの製造方法。
【請求項９】
コーナーキューブアレイの製造方法において、
凹型の三角錐プリズムアレイ上にメッキ膜を形成する第９−１工程と、
切削加工によって、凹型の三角錐プリズム上に凸型の三角錐プリズムを配するように、メッキ膜に凸型の三角錐プリズムアレイを形成する第９−２工程と、
メッキ膜における凸型の三角錐プリズムを、１つおきに、凹型の三角錐プリズムが露出するまで除去する第９−３工程と、
を含んでいることを特徴とする、コーナーキューブアレイの製造方法。
【請求項１０】
上記第９−１工程が、凹型の三角錐プリズムアレイに対し、その三角錐プリズム上に１つおきにレジスト膜を形成し、その上からメッキ膜を形成するようになっており、
上記第９−３工程が、上記のレジスト膜を剥離することによって、レジスト膜上のメッキ部分を除去するようになっている、
ことを特徴とする、請求項９に記載のコーナーキューブアレイの製造方法。
【請求項１１】
上記凹型の三角錐プリズムアレイを、凸型の三角錐プリズムアレイを転写することで形成することを特徴とする、請求項４あるいは９に記載のコーナーキューブアレイの製造方法。
【発明の詳細な説明】
【技術分野】
【０００１】
反射型液晶表示装置の再帰性反射板に利用される、コーナーキューブアレイの製造方法に関するものである。
【背景技術】
【０００２】
従来、周囲光（外光）を光源として利用することによって表示を行う反射型液晶表示装置（反射型ＬＣＤ）が知られている。
反射型ＬＣＤは、透過型液晶表示装置（透過型ＬＣＤ）とは異なり、バックライト（内蔵光源）を必要としない。このため、バックライトのための電力が不要となるので、バッテリーを小型化できる。また、バックライトを備えないことによる省スペース化・軽量化も図れる。
【０００３】
このようなことから、反射型ＬＣＤは、軽量薄型化したい機器に適しているといえる。
また、このような機器では、不要となったバックライト用のスペースを、バッテリーのために使用できる。従って、大型のバッテリーを使用できるので、動作時間を飛躍的に延ばすことも期待できる。
【０００４】
さらに、反射型ＬＣＤを明るい場所（日中の屋外など）で使用すると、表示画像のコントラスト特性を、他のタイプの表示装置に比べて良好とできる。
例えば、発光型表示装置であるＣＲＴでは、日中の屋外では、コントラスト比が大幅に低下する。
また、低反射処理の施された透過型ＬＣＤにおいても、周囲光が表示光（バックライト光）に比べて非常に強い環境下（直射日光下など）では、コントラスト比の大幅な低下を避けられない。
【０００５】
これに対し、反射型ＬＣＤでは、周囲光量に比例した表示光を得られるため、周囲光が非常に強くてもコントラスト比の低下を回避できる。
従って、反射型ＬＣＤは、携帯情報端末機器（携帯電話など），デジタルカメラ，携帯ビデオカメラといった、屋外での使用機会の多い機器に対し、好適に使用できる。
【０００６】
しかし、このように非常に有望な応用分野を有しているものの、カラー表示用の反射型ＬＣＤについては、現在まで、十分な実用性を有するものを得られていない。
これは、反射型ＬＣＤでは、暗所において十分な表示輝度を得られないからである。
【０００７】
カラー表示用の反射型ＬＣＤ（反射型カラーＬＣＤ）の表示性能を向上させるために、特許文献１には、散乱型液晶表示モードと再帰性反射板とを組み合わせる手法が開示されている。
【０００８】
図１２（ａ）（ｂ）は、この手法を用いた表示装置の動作原理を示す説明図である。ここで、図１２（ａ）および（ｂ）には、それぞれ、表示装置の黒表示状態および白表示状態を示している。
【０００９】
図１２（ａ）に示す表示装置の黒表示状態では、表示装置の液晶層１０１は、透過状態に制御されている。この場合、表示装置に入射した光は、液晶層１０１を通過した後、再帰性反射板１０２により、入射方向に引き返すように反射される。従って、外部光源１０３から表示装置に向かって斜めに入射した光は光源１０３に戻るように反射されるため、装置の正面にいる観察者Ｐには届かない。
なお、この場合、表示装置から観察者に届く像は、観察者自身の目（角膜）であるので、「黒」表示状態を得られる。
【００１０】
一方、図１２（ｂ）に示す白表示状態では、液晶層１０１は散乱状態に制御されている。この場合、光源からの入射光は液晶層１０１において散乱される。液晶層１０１が前方散乱型である場合、散乱光は再帰性反射板１０２で反射され、さらに散乱状態の液晶層１０１を経て外部に出射される。
このように、液晶層が散乱状態にあると、入射光が多様な方向に散乱されるため、再帰性反射板の再帰性が崩される。従って、入射光は光源に戻らず、観察者のいる方向に出射されるため、「白」表示状態を得られる。
【００１１】
このような動作原理を用いて表示を行うことにより、偏光素子を使用せずに白黒表示が可能となる。従って、偏光素子による光利用効率の低下を回避できるので、高明度の反射型ＬＣＤを実現できる。
【００１２】
なお、前述の再帰性反射板は、表示装置（ディスプレイ用途）の他に、道路標識などにも利用されている。この再帰性反射板の製造方法については、特許文献２・３に記載されている。
これらの文献に示されている再帰性反射板は、図１３に示すような、三角錐（三角錐プリズム）を最密に配列した形状（三角錐プリズムアレイ）を有している。
【００１３】
また、このような三角錐プリズムアレイは、以下のように製造される。
まず、図１４（ａ）に示すように、平板に対して、互いに１２０°づつ異なる三方向から機械（切削）加工を施し、「Ｖ字型の溝」を有する板（原盤）を形成する。これにより、図１４（ｂ）に示すように、三角錐を最密に配列した形状を形成できる。
【００１４】
次に、図１４（ｃ）に示すように、このような原盤の溝を、再帰性反射板の材料に転写する。これにより、材料には、原盤の反転像が形成される。そして、三角錐の形成面（表面）に高反射金属膜（例えばＡｇ（銀）など）を成膜し、再帰性反射板が完成する。
なお、図１４（ｂ）〜（ｄ）では、三角錐の頂点を○，底点を●で示している。
【００１５】
この三角錐プリズムアレイは、三角錐の形成面（高反射金属膜）によって光を反射するように配置することで、再帰性反射板として機能する。
すなわち、底点を中心とする３面のいずれかに入射した光は、これらの３面で１回づつ反射され、入射方向と同じ方向に反射（再帰）される。
【００１６】
なお、原盤を透明な樹脂材料などで形成すれば、原盤そのものを再帰性反射板とすることが可能である（図１４（ｄ））。この場合、入射光は、樹脂材料と空気との界面で反射されることとなり、また、観察者は裏面（平らな面）を望むこととなる。すなわち、この構成では、樹脂材料の頂点を中心とする３面のいずれかに入射した光は、これらの３面で１回づつ反射し、入射方向と同じ方向へと反射される。
【００１７】
ところで、再帰性反射板については、再帰反射率をなるべく高めることが好ましい。これにより、表示のコントラスト比をより高められるため、黒表示時に観察者に届く不要な光の量を低減できる。
しかしながら、三角錐プリズムアレイでは、その構造上、再帰反射板として機能する領域が、図１５に示すような、１つの三角錐の中心（図１４（ｃ）（ｄ）において○，●で示した点）を中心とする正六角形の領域だけである。
そして、それ以外の領域（非再帰領域）は、図１６に示すように、３回目に反射する面が存在しないため再帰領域（再帰反射領域）とならない。
【００１８】
なお、非再帰領域は、各三角錐の底面の３つの角に形成される正三角形である。そして、１つの角には、互いに隣接する６つの三角錐の非再帰領域が集まるため、図１５に示すように、平面的には、再帰領域と同じ形状の正六角形となる。
【００１９】
従って、その結果、三角錐プリズムアレイでは、有効面積（再帰反射する領域の面積）は全体の２／３となる。そして、残りの１／３である非再帰領域に入射した光は再帰せずに拡散光となる。このため、このような三角錐プリズムアレイでは、再帰反射率は２／３（６６．７％）より大きくならない。
【００２０】
従って、このような三角錐プリズムアレイを図１２（ａ）（ｂ）に示したような表示装置の反射板として用いると、全面積の１／３が非再帰領域（拡散光領域）であることから、黒表示レベルの低下（黒浮き）を避けられない。また、白表示の明るさも低下するため、高コントラストでの表示を実現できず、表示品位を低下させてしまう。
【００２１】
この問題に関し、特許文献１には、非再帰領域をもたない再帰性反射板が開示されている。
この再帰性反射板は、図１７（ａ）の上面図，図１７（ｂ）の斜視図に示すように、正方形３面の構成（立方体の一部；コーナーキューブ）を単位構造とし、その単位構造を最密充填したもの（コーナーキューブアレイ（ＣＣＡ））を有している。
【００２２】
このＣＣＡは、三角錐プリズムアレイのＸ・Ｙ方向（図１３）に並んでいる三角錐プリズム（凸）を、各方向に１つおきに下向きにした（凹型の三角錐プリズム（三角錐形状の窪み（穴））とした）形状（１つの三角錐プリズム（上向き）のＸ方向およびＹ方向に隣あう４つの三角錐プリズムを下向きにした形状）である。また、凹型の三角錐プリズムは、「頂点を下に向けた正三角錐の底面を除去した形状」であるともいえる。
このようなＣＣＡでは、その全面が再帰領域として機能する。このため、散乱型液晶と組み合わせることで、高コントラストでの黒表示を実現できると考えられる。
【００２３】
しかしながら、現在市販されているＣＣＡは、数ｍｍの大きさをもつ単位コーナーキューブの集合体である。従って、ディスプレイの画素ピッチ（１００〜３００μｍピッチ）に比べて大きすぎるため、ディスプレイ用途には不向きである。
すなわち、ディスプレイの再帰性反射板として用いるためには、ディスプレイの画素ピッチと同等、あるいはそれ以下の、微細な単位コーナーキューブを配列したものが必要である。
【００２４】
ここで、特許文献２・３には、微細な三角錐プリズムを機械加工する方法について記載されている。この機械加工は、円柱状の穴，溝加工，曲面の加工に適したものであり、前述したようにＶ字状の溝を３方向より形成することで、非常に精度よく、微細な三角錐プリズム（凸）を形成できる。
【００２５】
しかしながら、ＣＣＡを形成するためには、連続的な凹凸を、各面が直交するように形成する必要が生じる。これに関し、特許文献２・３に示されているような機械加工では、このような『直角』を出しながらの凹部形成を行えない（隣り合う三角錐プリズムが同時に形成されてしまう（三角錐プリズムアレイが形成されてしまう））。
【００２６】
ここで、『コーナーキューブ』と『三角錐プリズム』とには、図１８に示す関係がある。
すなわち、隣接する２つの三角錐プリズムの一方を、三角錐プリズムの底辺を含む面（図中の線Ｂを通る面）を中心に反転させると、コーナーキューブを形成できる（隣接する三角錐プリズムの対向する２つの面（直角二等辺三角形；図１８中の円Ａ内の面）の一方を反転させると、コーナーキューブの単位面である正方形を形成できる）。そして、この反転を三角錐プリズム全体に渡って行うと、ＣＣＡ形状となる。
【００２７】
なお、コーナーキューブの頂点から延びる３本の線と、底点から延びる３本の線の交点を『鞍点』と称する（図１７，図１８参照）。
また、上記のようにコーナーキューブを形成するために反転される三角錐プリズムは、「１つおき」である。また、「三角錐プリズムの底辺を含む面」は、「複数のコーナーキューブの鞍点を通る面」と一致する。
従って、ＣＣＡは、『鞍点』をつないだ面を基準とし、『凸の三角錐プリズム』と『凹の三角錐プリズム』が交互（１つおき）に配列した形状であるといえる。
【００２８】
このような点に関し、特許文献４には、２枚の三角錐プリズムアレイを張り合わせてＣＣＡを形成する方法が記載されている。
すなわち、この方法では、図１９に示すように、１枚の三角錐プリズムアレイの一部に反射板を形成し、これを裏向けにすることで、擬似的に凸型三角錐プリズムを生成する。そして、他の三角錐プリズムアレイ（凹型）と組み合わせることで、ＣＣＡを形成する。
【００２９】
また、特許文献４には、図２０に示すように「組み合わせ技術」と「形状転写技術」を用いて、凹型の三角錐プリズムアレイの所定位置に凸型の三角錐を転写することで、ＣＣＡ反射板を形成する手法についても開示されている。
【特許文献１】特開２００２−１０７５１９号公報（公開日；２００２年４月１０日）
【特許文献２】米国特許公報４５７６８５０（発行日；１９８６年３月１８日）
【特許文献３】特表２０００−５９１６６号公報（公表日；２０００年７月１８日）
【特許文献４】特開２００２−３２３６１２号公報（発行日；２００２年１１月８日）
【発明の開示】
【発明が解決しようとする課題】
【００３０】
しかしながら、特許文献４の方法では、２枚の三角錐プリズムアレイを重ね合せることでＣＣＡを実現している。従って、この方法には、重ね合せの精度（平面方向および高さ方向の精度）を非常に高くしないと、ＣＣＡの再帰反射率を十分に高められないという欠点がある。
【００３１】
例えば、図１９に示した構成において、三角錐プリズムアレイ間に１μｍ程度の隙間が存在する場合の再帰反射率は、完全なＣＣＡの再帰反射率を１００％としたとき、６４％まで低下する（シミュレーション結果）。
この数字は、完全な三角錐プリズムアレイの再帰性反射率（６６．７％）より小さいため、上記の隙間については、少なくとも１μｍより小さくする必要があるといえる。
【００３２】
また、図１９の構成では、図２１（ｂ）に示すように、入射光は、擬似的なコーナーキューブ内で３回反射する間に、異なる屈折率体（三角錐プリズムアレイの間）を横切ることとなる。従って、三角錐プリズムアレイ間にマッチング材（三角錐プリズムアレイと同様の屈折率をもつもの）を配する必要がある。しかしながら、このような媒質を挟んだ状態で２枚の三角錐プリズムアレイ間の距離を１μｍより小さくすることは非常に困難である。また、マッチング材のもつ応力により、三角錐プリズムアレイの正確なアライメントも非常に困難となる。
【００３３】
また、図２０に示した「形状転写技術」を組み合わせる場合にも、図２１（ｃ）に示すように、上下の三角錐プリズムアレイ間に転写による隙間が生じやすいという問題がある。
さらに、この場合には、複数の三角錐プリズム（凸）を三角錐プリズムアレイ（凹）に接着する必要が生じる。このため、図２１（ｃ）に示すように、コーナーキューブ領域に接着層材（接着剤）が漏れてしまうという問題もある。
なお、図２１（ｂ）（ｃ）は、図２１（ａ）に示したコーナーキューブ上に記した線分Ａ−Ａ‘での断面図である。
【００３４】
本発明は、上記のような従来の問題点に鑑みてなされたものである。そして、その目的は、「再帰反射率の高い微細なコーナーキューブアレイを、容易に製造することの可能な方法」を提供することにある。
【課題を解決するための手段】
【００３５】
上記の目的を達成するために、本発明にかかるコーナーキューブアレイの製造方法（本製造方法）は、
コーナーキューブアレイの製造方法において、
互いに合同の底面を有する正三角柱と凹型の三角錐プリズムとを交互に最密に配置したアレイ基板を形成する第１−１工程と、
アレイ基板上の正三角柱を、上記の凹型の三角錐プリズムの面と連続する面を有する凸型の三角錐プリズムに切削する第１−２工程とを含んでいることを特徴とする方法である。
【００３６】
本製造方法は、高い再帰性反射率を有し、微細な（単位コーナーキューブ頂点間のピッチの短い）、コーナーキューブアレイ（ＣＣＡ）を形成するための方法である。
ここで、上記したように、ＣＣＡは、複数の鞍点を通る面を基準とし、凸の三角錐プリズムと凹型の三角錐プリズムとが交互（１つおき）に配列された形状である。
ここで、凹型の三角錐プリズムとは、正三角錐形状の穴（窪み）のことである（穴の表面が正三角錐形状となっている）。
また、「凸の三角錐プリズムと凹型の三角錐プリズムとが交互に配された」状態とは、「凸の三角錐プリズムの１つの底辺に平行な方向とこれに垂直な方向とに、凸の三角錐プリズムに隣接して、その隙間を埋めるように、凹型の三角錐プリズムが形成されている状態」である。
また、隣り合う凹型の三角錐プリズムと凸型の三角錐プリズムとでは、プリズム面が連続した（面一の）状態となっている。
【００３７】
そして、本製造方法では、まず、正三角柱と、この正三角柱の底面と合同の底面を有する凹型の三角錐プリズムとを交互に最密に配置したアレイ基板を形成する（第１−１工程）。
すなわち、このアレイ基板は、互いの頂点を接した状態で同じ向きに配列した三角柱群と、その隙間（三角形の隙間）に形成された、凹型の（窪んだ）三角錐（三角錐プリズム）とが交互に配されたものである。
【００３８】
ここで、「三角錐プリズムと三角柱とが交互に配された」状態とは、「三角柱の１つの底辺に平行な方向とこれに垂直な方向とに、三角柱に隣接して、三角柱間の隙間を埋めるように、三角錐プリズムの形成されている状態」である。
【００３９】
そして、本製造方法では、このようなアレイ基板の正三角柱を、切削加工によって、上記の凹型の三角錐プリズムの面と連続する面を有する、凸型の正三角錐（凸型の三角錐プリズム）に切削する（第１−２工程）。この切削は、平板に三角錐プリズムアレイを形成するための切削工程と同様のものである。これにより、ＣＣＡが完成する。
【００４０】
このように、本製造方法では、三角錐プリズムアレイを形成する工程と同様の切削加工を用いて、ＣＣＡを製造することが可能となる。
ここで、平板に対する切削加工のみによって微細なＣＣＡを形成することは困難である一方、三角錐プリズムアレイについては、高さ方向および平面方向の誤差を０．０５〜０．１μｍ以内とするとした状態で、切削加工によって形成することが可能である。
従って、本製造方法によれば、微細なＣＣＡを容易に形成することが可能である。
【００４１】
また、本製造方法では、別体の三角錐プリズムアレイを重ねる必要がない。このため、凸型の三角錐プリズムと凹型の三角錐プリズムとのずれに起因する再帰性反射率の低下を防止できるとともに、接着剤もれなどとも無縁である。
また、最終工程を切削加工としているため、凹型の三角錐プリズムと凸型の三角錐プリズムとのずれを修正することも容易である。
【００４２】
ここで、上記の第１−１工程で形成される「正三角柱と凹型の三角錐プリズムとを備えるアレイ基板」については、以下のように得ることが可能である。
すなわち、まず、平坦なベース基板上に、複数の正三角柱を、互いの頂点を接した状態で同じ向きに配列する（第２−１工程）。
次に、この正三角柱の上部を、凸型の三角錐プリズム（正三角錐）に切削する（第２−２工程）。
その後、このベース基板を、メッキなどを用いて転写することによって、上記のアレイ基板を得られる。
【００４３】
また、上記の第２−１工程については、以下のような工程で構成してもよい。
すなわち、まず、平坦なベース基板上に、レジストからなる複数の正三角柱を、互いの頂点を接した状態で同じ向きに配列する（第３−１工程）。
次に、このベース基板上にメッキを施し、レジストを剥離する（第３−２工程）。これにより、複数の正三角柱を備えるベース基板を形成できる。
【００４４】
また、上記の第１−１工程で形成される「正三角柱と凹型の三角錐プリズムとを備えるアレイ基板」については、以下のように得ることもできる。
すなわち、まず、凹型の三角錐プリズムアレイ（凹型の三角錐プリズムを最密に並べたもの）に対し、その三角錐プリズム上に１つおきに正三角柱を形成する（第４−１工程）。
ここで、正三角柱の形成される凹型の三角錐プリズムは、三角錐プリズムアレイ上に１つおきに形成されている、互いに同じ向きに配されているものである。
【００４５】
この場合には、既存の三角錐プリズムアレイを用いてＣＣＡを形成できる。従って、ＣＣＡをより容易に製造できる。
【００４６】
また、上記の第４−１工程については、以下のような工程で構成してもよい。
すなわち、まず、凹型の三角錐プリズムアレイに対し、その三角錐プリズム上に１つおきにレジストの正三角柱を形成する（第５−１工程）。
その後、この三角錐プリズムアレイの全体にメッキを施す。これにより、レジストのない三角錐プリズム上に、三角柱形状のメッキ柱が形成される。その後、レジストを剥離する（第５−２工程）ことで、三角柱形状のメッキ柱の形成された、凹型の三角錐プリズムアレイを得られる。
【００４７】
また、本製造方法では、第１−１工程で形成する正三角柱の高さ（凹型の三角錐プリズムの底点から正三角柱の上面までの高さ；凹型の三角錐プリズムの底点と、正三角柱の上面を含む面との距離）を、製造後のＣＣＡの凹凸高さ（凹型の三角錐プリズムの底点から凸型の三角錐プリズムの頂点までの高さ）よりも高くしておくことが好ましい。
【００４８】
これは、正三角柱の高さをＣＣＡ以下としてしまうと、切削加工によって、凸型の三角錐プリズムのサイズを適切に形成できないからである。
なお、この正三角柱を高くしすぎると、切削工程で切削される材料が増加するため、切削時に加わるストレスにより、凸型の三角錐プリズムを変形させてしまう可能性がある。
【００４９】
従って、製造後のＣＣＡの凹凸高さをＨとする場合、この正三角柱の高さｈ１を、
Ｈ＜ｈ≦１．５×Ｈ
の範囲に設定することが好ましいといえる。
また、切削工程の切削誤差を考慮すると、正三角柱の高さｈ１を、
Ｈ＜ｈ≦Ｈ＋５μｍ
の範囲に設定することも好ましいといえる。
【００５０】
また、上記では、第１−１工程において、「正三角柱と凹型の三角錐プリズムとを交互に最密に配置したアレイ基板を形成する」としている。しかしながら、このような正三角柱をもたないアレイ基板を用いても、同様の精度でＣＣＡを製造することも可能である。
【００５１】
この場合、まず、凹型の三角錐プリズムアレイ上に、メッキ膜を形成する（第９−１工程）。このメッキ膜の高さは、ＣＣＡより高くすることが好ましい。
次に、切削加工によって、メッキ膜に凸型の三角錐プリズムアレイを形成する（第９−２工程）。
この切削加工については、メッキからなる凸型の三角錐プリズムを、もとの凹型の三角錐プリズム上に配するように行う。
【００５２】
次に、メッキの凸型の三角錐プリズムを、１つおきに、凹型の三角錐プリズムが露出するまで除去する（第９−３工程）。
これにより、ＣＣＡが完成する。
【００５３】
このような方法でも、本製造方法と同様に、三角錐プリズムアレイを形成するための切削工程を用いて、ＣＣＡを製造することが可能となる。
従って、微細なコーナーキューブを容易に形成できる。
また、別体の三角錐プリズムアレイを重ねる必要がないため、凸型・凹型の三角錐プリズムのずれに起因する再帰性反射率の低下を防止できる。また、接着剤のもれによる悪影響も回避できる。
【００５４】
また、上記の第９−１工程，第９−３工程については、以下のような工程で構成してもよい。
すなわち、まず、第９−１工程では、凹型の三角錐プリズムアレイに対し、その三角錐プリズム上に１つおきにレジスト膜を形成する。そして、このレジスト膜の上からメッキ膜を形成する。
この場合、第９−２工程におけるメッキ膜の切削加工によって、上記のレジスト膜が、凹型の三角錐プリズムと凸型の三角錐プリズムとの間から表出する。
【００５５】
従って、この場合には、第９−３工程で、メッキ膜上に剥離剤（レジストを剥離するための薬剤）を塗布することにより、レジスト膜の表出部分から剥離剤を内部に侵入させる。これにより、全てのレジスト膜を剥離できる。
【００５６】
また、レジスト膜上の凸型の三角錐プリズムは、レジスト膜によって、凹型の三角錐プリズムアレイ、および、隣接する凸型の三角錐プリズムから離れた状態にある。従って、レジスト膜上の凸型の三角錐プリズムを、レジスト膜とともに剥がれ落とす（リフトオフ）ことが可能である。
このように、リフトオフを用いることで、第９−３工程での凸型の三角錐プリズムの除去を容易に行うことが可能となる。
【００５７】
なお、上記した第４−１工程や第９−１工程において使用される凹型の三角錐プリズムアレイについては、例えば、メッキなどを用いて凸型の三角錐プリズムアレイを転写することで、形成することが可能である。
この場合、凸型の三角錐プリズムアレイについては、平板に対する切削加工によって容易に形成できる。
【発明の効果】
【００５８】
以上のように、本発明にかかるコーナーキューブアレイの製造方法（本製造方法）は、
コーナーキューブアレイの製造方法において、
互いに合同の底面を有する正三角柱と凹型の三角錐プリズムとを交互に最密に配置したアレイ基板を形成する第１−１工程と、
アレイ基板上の正三角柱を、上記の凹型の三角錐プリズムの面と連続する面を有する凸型の三角錐プリズムに切削する第１−２工程とを含んでいることを特徴とする方法である。
【００５９】
本製造方法の第１−２工程では、このようなアレイ基板の正三角柱を、切削加工によって凸型の正三角錐（凸型の三角錐プリズム）に切削することで、ＣＣＡを得るようになっている。
また、この切削は、平板に三角錐プリズムアレイを形成するための切削工程と同様のものである。これにより、ＣＣＡが完成する。
【００６０】
このように、本製造方法では、三角錐プリズムアレイを形成する工程と同様の切削加工を用いて、ＣＣＡを製造することが可能となる。
ここで、平板に対する切削加工のみによって微細なＣＣＡを形成することは困難である一方、三角錐プリズムアレイについては、高さ方向および平面方向の誤差を０．０５〜０．１μｍ以内とするとした状態で、切削加工によって形成することが可能である。
従って、本製造方法によれば、微細なＣＣＡを容易に形成することが可能である。
【００６１】
また、本製造方法では、別体の三角錐プリズムアレイを重ねる必要がない。このため、凸型の三角錐プリズムと凹型の三角錐プリズムとのずれに起因する再帰性反射率の低下を防止できるとともに、接着剤もれなどとも無縁である。
また、最終工程を切削加工としているため、凹型の三角錐プリズムと凸型の三角錐プリズムとのずれを修正することも容易である。
【発明を実施するための最良の形態】
【００６２】
本発明の一実施形態について説明する。
本実施の形態にかかる液晶表示装置（本表示装置）は、外光を利用して表示を行う、反射型の液晶表示装置である。
図２は、本表示装置の構成を示す断面図である。
この図に示すように、本表示装置は、入射側基板６と反射側基板７との間に、液晶層（スイッチング層）１を設けた構成である。
【００６３】
入射側基板６は、透明なガラス板や高分子フィルムなどの材料からなる。反射側基板７は、ガラス板や高分子フィルムなどの材料からなっているが、透明である必要はない。
【００６４】
反射側基板７上には、再帰性反射板８が、その反射光を入射側基板６に向けて出射するように形成されている。再帰性反射板８は、入射側基板６の側から光を入射し、その反射光を、入射光と平行に出射するものである。
【００６５】
入射側基板６および反射側基板７は、それぞれ、液晶層１に電圧を印加するための各電極４・５を備えている。
これらの電極４・５は、液晶層１の各画素に電圧を印加するためのものである。電極４・５における液晶層１側の面には、水平配向膜２・３が、液晶層１と当接するように塗布されている。これらの水平配向膜２、３は、電圧を印加されていない状態の液晶層１を、水平配向状態とするように設定されている。
【００６６】
液晶層１は、光散乱型液晶から構成されていおり、透過状態と散乱状態とのいずれかの状態となるものである。
ここで、透過状態とは、入射された光の進行方向を維持する（入射光が屈折して通過する場合も含む）状態である。また、散乱状態とは、入射光の進行方向を変える（散乱作用を有する）状態である。
【００６７】
このような液晶層１の液晶材料としては、高分子分散型液晶を用いることが可能である。この場合、液晶層１は、例えば、低分子液晶組成物と、重合していないプレポリマーとを均一に溶解させた混合物（プレポリマー液晶混合物）を基板間に配置し、プレポリマーを重合することで得られる。
【００６８】
ここで、本表示装置の表示の原理を説明する。
まず、白表示の動作について説明する。液晶層１に電圧を印加すると、液晶層１の各液晶分子１ａが電場の方向に向く一方、高分子の液晶基１ｂは向きを変えない。このため、両者の間で屈折率が非整合をおこし、液晶層１は散乱状態になる。
そして、散乱状態の液晶層１に入射光が入射すると、液晶層１を透過する直進光および前方散乱された光は、再帰性反射板８で反射された後、再び散乱状態の液晶層１を通ることにより散乱作用を受ける。従って、後方散乱された光だけでなく、多くの光が観察方向に戻ることになる。
【００６９】
このように、効率の悪い後方散乱だけでなく、液晶層１を透過する直進光および前方散乱された光を利用することにより、非常に明度の高い表示を得られる。なお、各液晶分子１ａは、高分子の液晶基１ｂにより所定の間隔だけ離れている。
【００７０】
次に、黒表示の動作について説明する。
電圧を印加しない場合、液晶層１の各液晶分子１ａは、高分子の液晶基１ｂと同じ方向に向く。このため、両者の間で屈折率が整合し、液晶層１は透過状態となる。
このとき、観察者の眼に入射する光のもとをたどっていくと、基板６や液晶層１などにより屈折作用を受け、再帰性反射板８により再帰され、同様に液晶層１や基板６などにより屈折作用を受け、最終的に観察者の眼のごく近傍に達する。
【００７１】
すなわち、観察者の眼の近傍からの入射光１０のみが観察者にむかう出射光１１となる。ここで、観察者の眼の近傍には、光源は存在しないと考えられる。従って、この場合には、出射光１１は存在せず、観察画像は黒画像となる。
【００７２】
次に、本表示装置における再帰性反射板８について説明する。
再帰性反射板８は、図１７（ａ）（ｂ）に示したような、コーナーキューブアレイ（ＣＣＡ）からなるものである。そして、特に、再帰性反射板８は、隣り合う単位コーナーキューブ頂点間のピッチ（最短距離）が２０μｍである、微細なＣＣＡ（ＭＣＣＡ；Micro Corner Cube Array）から構成されている。
【００７３】
以下に、ＭＣＣＡの形状を有する再帰性反射板８の製造方法について、詳細に説明する。
図１７（ａ）（ｂ）に示したように、このＣＣＡは、図１３に示した三角錐プリズムアレイのＸ・Ｙ方向に並んでいる三角錐プリズム（凸）を、各方向に１つおきに下向きにした（凹型の三角錐プリズムとした）形状（１つの三角錐プリズム（上向き）のＸ方向およびＹ方向に隣あう４つの三角錐プリズムを下向きにした形状）である。
【００７４】
従って、ＣＣＡは、複数の鞍点を通る面を基準とし、凸の三角錐プリズムと凹の三角錐プリズムとが交互（１つおき）に配列された形状である。
【００７５】
従って、本実施の形態では、再帰性反射板８を、以下の手順で形成することとする。
（１）凸の三角錐プリズムを一つおきに形成する。
（２）凸の三角錐プリズムの間に、凹の三角錐プリズムを形成する。
【００７６】
図１（ａ）〜（ｅ）は、再帰性反射板８の原盤となる、ＭＣＣＡの形成工程を示す断面図である。また、図１（ｆ）〜（ｊ）は、それぞれ、図１（ａ）〜（ｅ）に対応する上面図である。
【００７７】
まず、図１（ａ）（ｆ）に示すように、ガラスなどのベース基板２１上に、フォトレジストを用いて、互いの頂点を接した状態で同じ向きに配列した三角柱（正三角柱）２２を形成する（工程１）。
この工程では、φ３“の合成石英基板上に、フォトレジスト（ＰＭＥＲ  Ｐ−ＬＡ９００ＰＭ：東京応化社製）を塗布する。
このレジスト膜を、図３に示すフォトマスクにより露光し、現像することで、図１（ａ）（ｆ）に示す三角柱２２の群を形成できる。
【００７８】
なお、このフォトマスクは、Ｘ・Ｙ方向に最密に並べた正三角形群に対し、各方向に１つおきに三角形を除去した形状（正三角形のＸ方向およびＹ方向に隣あう４つの正三角形を除去した形状）である。すなわち、このフォトマスクは、同じ向きの正三角形を、頂点を接した状態で配列してなるものである。
【００７９】
次に、図１（ｂ）（ｇ）に示すように、工程１にて作成された三角柱２２の並んだベース基板２１に、Ｎｉ−Ｐ無電解メッキを施した後、レジストを剥離する。これによりＮｉ−Ｐ型（転写型，電鋳型）２３を形成する（工程２）。
この工程では、マスター基板であるベース基板２１を無電解メッキ浴（Ｎｉ−７０１：高純度化学社製）中に浸漬し、Ｎｉ−Ｐ（ニッケル−リン）の合金層をベース基板２１の表面（マスター表面）に析出させることで行う。
Ｎｉ−Ｐの析出後、ベース基板２１を剥離（レジスト剥離処理）することで、表面に三角柱が多数形成されたＮｉ−Ｐ基板２３ができる。
【００８０】
次に、図１（ｃ）（ｈ）に示すように、このＮｉ−Ｐ基板２３に対し、切削加工により、三角柱の上部のみを切削する（工程３）。
この切削は、図１４（ａ）に示したように、互いに１２０°づつ異なる三方向から、三角柱の上部を三角錐とするように行われる。また、この切削では、三角錐の底面を、最終形状であるＭＣＣＡの鞍点の高さとするように行われる。
これにより、Ｎｉ−Ｐ基板２３を、『三角錐プリズム（凸）と三角柱状の空間（凹）とを一つおきに並べた形状』とできる。
【００８１】
なお、この切削加工については、例えば、ＮＡＮＯ−１００（ソディック社製）およびダイヤモンドバイト（頂角：７０.５°、刃先Ｒ０．１μｍ）を使用できる。
【００８２】
次に、図１（ｄ）（ｉ）に示すように、工程３で加工したＮｉ−Ｐ基板２３をマスターとして、２回目のメッキ処理により反転型２４を形成する（工程４；メッキの方法は工程２と同様）。
これにより、反転型２４を、『三角柱状の凸部と三角錐プリズム（凹）とを一つおきに並べた形状』とできる。
【００８３】
次に、図１（ｅ）（ｊ）に示すように、工程４によって作成された反転型２４の凸部分（三角柱）を、工程３と同様に切削し、凸型の三角錐プリズムとする（工程５）。このとき、切削加工の向きを、三角錐プリズム（凸）の面を、既に形成されている三角錐プリズム（凹）の面と連続するように調整する。
これにより、ＭＣＣＡ２５が完成する。
【００８４】
そして、このＭＣＣＡ２５を金型として、再帰性反射板８の材料に転写する。これにより、材料には、ＭＣＣＡ２５の反転像が形成される。そして、その表面に高反射金属膜（例えばＡｇ（銀）など）を成膜することで、再帰性反射板８が完成する。
【００８５】
なお、このＭＣＣＡ２５では、コーナーキューブの複数の鞍点を通る面（図１（ｅ）の線Ｂ）付近（凸プリズムと凹プリズムの接合部）に、スジ状の接合痕が観察される。
この接合痕は、工程５における切削加工時のパターンと、工程４で形成された凹部（凹プリズム）とのアライメントズレにより発生する。しかしながら、本実施形態で使用した加工装置（ＮＡＮＯ−１００）のアライメント精度は０．０５〜０．１μｍであり、最終形状に残った接合痕も同程度であった。
【００８６】
また、この接合痕は、本表示装置において画像表示に使用する光の波長（０．４〜０．７μｍ）に比べて十分小さいため、光学特性に何ら影響しない。
さらに、この接合痕に応じて、図４に示すような段差が発生するが、これは、アライメント精度と同程度となるため、０．０５〜０．１μｍ程度と非常に小さい。このため、金型としての使用にもほとんど不都合は生じない範囲である。
従って、これ以上の精度（接合痕をなくすほどの精度）を求めるために、上記した工程１〜５の精度を高める必要はないといえる。
【００８７】
なお、コーナーキューブを形成する３面のうち、少なくとも１面（好ましくは３面とも）で、図４に示すように、『三角錐プリズム（凹）を構成する面３１の延長線に対し、三角錐プリズム（凸）を構成する面３２が、０．０５〜０．１μｍの範囲で、三角錐プリズム（凸）の頂点側にシフトしている』ことが好ましい。
【００８８】
これにより、三角錐プリズム（凹）を構成する面３１に三角錐プリズム（凸）を構成する面３２がはみでる（かぶさる）ような、オーバーハング状態を回避できる。従って、ＭＣＣＡ２５を金型として使用した場合における、離型性を高められる。
【００８９】
次に、上記のＭＣＣＡ２５の再帰反射率を測定した結果について説明する。
この測定は、図５に示したような、落射型の顕微鏡と同様の評価装置を用いた。
【００９０】
この評価装置は、測定試料を固定するサンプルステージ４１、対物レンズ４２，ハーフミラー４３と、図示しない受光部および光源（白色光を出射する光源）とを有している。
【００９１】
ハーフミラー４３は、光源からの出射光を反射して、サンプルステージ４１に固定されたサンプル（測定試料）に垂直に入射させるように設置されている。
従って、光源からの出射光は、ハーフミラー４３によって反射され、サンプルステージ４１と垂直な方向に沿って配された対物レンズ４２（集光角：例えば７．５度）を介して、サンプル（測定試料）上に測定スポットを形成する。
そして、サンプルからの反射光は、対物レンズ４２およびハーフミラー４３を通過して、対物レンズの真上に設けられた受光部に到達する。
【００９２】
このような評価装置を用いて、上記のＭＣＣＡ２５と、三角錐プリズムアレイ（比較例）との再帰性反射率を測定した。
なお、この測定に用いられた三角錐プリズムアレイは、工程３と同様の切削工程を平板に施して形成されたものである。
【００９３】
また、測定にかかるＭＣＣＡ２５，三角錐プリズムアレイの加工精度は、『入射光が再帰反射する領域（再帰反射領域）』のみを抽出したならば、ディスプレイ用途として十分に使用可能な再帰性反射板であることを、事前に表示試験により確認したものである。
従って、測定にかかる三角錐プリズムアレイでは、その全面積が再帰性反射領域であれば、本表示装置の再帰性反射板８として十分に使用可能なものである。
【００９４】
測定の結果、ＭＣＣＡ２５の再帰性反射率は、三角錐プリズムアレイの再帰性反射率の１．５倍となった。
ここで、実際には、三角錐プリズムアレイでは、再帰反射領域が全面積の２／３（再帰反射領域が６６．７％）であり、残り１／３は光を散乱させる部分となる（この部分からの散乱光は、評価装置の対物レンズ４２には入射しない）。
従って、ＭＣＣＡ２５では、ほぼ全面が再帰性反射領域となっている（ＭＣＣＡ２５の再帰反射領域が１００％である）ことがわかった。
【００９５】
以上のように、上記したＭＣＣＡ２５の製造方法では、ベース基板２１に対するレジストの三角柱２２の形成、および、これに対するメッキ処理によって、図１（ｂ）に示したようなＮｉ−Ｐ基板２３を形成する。
【００９６】
その後、このＮｉ−Ｐ基板２３に切削加工を施した後（図１（ｃ））、これを転写することによって、図１（ｄ）に示したような、三角柱状の凸部と、これと合同の底面を有する三角錐プリズム（凹）とを一つおきに並べた形状の、反転型（アレイ基板）２４を形成するようになっている。
【００９７】
さらに、この反転型２４の正三角柱を、切削加工によって凸型の正三角錐（凸型の三角錐プリズム）に切削することで、ＭＣＣＡ２５を得るようになっている。
【００９８】
ここで、上記した２回の切削加工は、図１４（ａ）に示したような、平板に三角錐プリズムアレイを形成するための切削工程と同様のものである。
上記したように、平板に対する切削加工のみによってＭＣＣＡを形成することは困難である。一方、三角錐プリズムアレイについては、高さ方向および平面方向の誤差を０．０５〜０．１μｍ以内とするとした状態で、切削加工によって形成することが可能である（特許文献２・３参照）。
従って、上記の製造方法では、微細なＭＣＣＡ２５を容易に形成することが可能である。
【００９９】
また、上記の製造方法では、別体の三角錐プリズムアレイを重ねる必要がない。このため、凸型の三角錐プリズムと凹型の三角錐プリズムとのずれに起因する再帰性反射率の低下を防止できるとともに、接着剤もれなどとも無縁である。
また、最終工程（工程１４）を切削加工としているため、凹型の三角錐プリズムと凸型の三角錐プリズムとのずれを修正することも容易である。
【０１００】
なお、図１（ａ）を用いて示した工程１では、ベース基板２１に塗布するレジストの膜厚を、「現像の完了時点で、最終的に形成するＭＣＣＡ２５の凹凸高さ（底点から頂点までの高さ；約１６μｍ）以上とする（およそＭＣＣＡ２５の凹凸高さ＋８μｍ程度とする）」ことが好ましい。また、ＭＣＣＡの凹凸＋２μｍとすることがさらに好ましい。
【０１０１】
すなわち、工程１において使用されるフォトマスク（図３参照）に描画される三角形のピッチは、最終的に形成されるＭＣＣＡ２５のピッチに相当する。また、ＭＣＣＡ２５のピッチは、その凹凸高さを決定する。
ここで、図１（ａ）における三角柱２２の高さ（レジストの膜厚）がＭＣＣＡ２５の凹凸高さに比べて小さい場合、最終的にできあがるＭＣＣＡ２５の一部が欠けることとなる。
【０１０２】
従って、三角柱２２を形成するために塗布されるレジストの膜厚ｈ１は、最終的にできあがるＭＣＣＡ２５の凹凸高さをＨとした場合、
Ｈ≦ｈ１
とする必要がある。
【０１０３】
ただし、ｈ１≒Ｈとすると、レジストの膜厚分布やメッキのバラツキに対するマージンがなくなる。このため、
Ｈ＜ｈ１
とすることが好ましい。
【０１０４】
逆に、図６（ａ）（ｂ）にαとして示すように、レジストの膜厚ｈ１がＭＣＣＡ２５の凹凸高さＨに比べて非常に大きい場合には、レジストの解像度が落ちてしまう。さらに、切削されるメッキの量が増加するため、切削時に加わるストレスにより形状が変形することが挙げられる。
【０１０５】
これらのことから、図６（ａ）（ｂ）にβとして示すように、レジストの膜厚ｈ１とＭＣＣＡ２５の凹凸高さＨとの関係を、
Ｈ＜ｈ１≦Ｈ×１．５
とすることが好ましいといえる。
【０１０６】
また、「工程２（図１（ｂ））において得られるＮｉ−Ｐ基板２３における三角柱の最表面と、工程３（図１（ｃ））において削りだされた三角錐の頂点との間」の距離は、切削誤差を考慮すると、５μｍ以下であることが好ましい。
また、１μｍ〜４μｍ程度であることがさらに好ましい。なお、４μｍとは、切削により得られた三角錐プリズム（凸）の高さ（鞍点から頂点までの高さ；８μｍ）の、半分の値である（すなわち、Ｈ＜ｈ１≦Ｈ×１．２５となる）。
【０１０７】
また、上記した工程１〜工程４により形成される形状は、図１（ｄ）（ｉ）に示したように、『三角柱状の凸部と三角錐プリズム（凹）とを一つおきに並べた形状（三角錐プリズム（凹）と三角柱（凸）が交互に接する形状）』ある。
すなわち、この形状は、三角錐プリズム（凹）を１つおきに形成し、その間隙に三角柱を形成したものと一致する。
従って、ＭＣＣＡ２５の形成工程を、図１（ａ）に示したような三角柱２２からではなく、三角錐プリズムから開始することも可能である。
【０１０８】
以下に、このようなＭＣＣＡ２５の形成工程について説明する。
図７（ａ）〜（ｆ）は、この形成工程を示す断面図である。また、図７（ｇ）〜（ｋ）は、それぞれ、図７（ａ）〜（ｄ）（ｆ）に対応する上面図である。
【０１０９】
まず、図７（ａ）（ｇ）に示すように、Ｃｕ／ＳＵＳ（ＳＵＳ上に１００μｍ程度Ｃｕメッキしたもの）などからなる平板基板に対し、図１４（ａ）に示したように切削加工を施し、三角錐プリズムアレイ５１を形成する（工程１１）。
なお、切削に使用した装置はＮＡＮＯ−１００であり、バイトとして単結晶ダイヤモンドバイトを用いた。
【０１１０】
次に、上記した工程２と同様の手法で、図７（ｂ）（ｈ）に示すように、Ｎｉ−Ｐ無電解メッキにより、三角錐プリズムアレイ５１のＮｉ−Ｐ（転写型，電鋳型）Ｎｉ−Ｐ型（反転型）５２を形成する（工程１２）。
【０１１１】
次に、図７（ｃ）（ｉ）に示すように、Ｎｉ−Ｐ型５２上に、フォトレジストにより、工程１と同様の三角柱５３を形成する（工程１３）。
すなわち、Ｎｉ−Ｐ型５２上に、厚さ（Ｎｉ−Ｐ型５２の最表面からの高さ）ｈ２のレジスト膜を形成する。この厚さｈ２については、最終的にできあがるＭＣＣＡの凹凸高さをＨとした場合、
１／２×Ｈ≦ｈ２≦Ｈ
となるように設定する。これにより、ＭＣＣＡの底点からのレジスト膜の高さｈ３（上記したｈ１と同様の高さ）を、Ｈ≦ｈ１≦１．５×Ｈの範囲に設定できる。
そして、このレジスト膜を、図３に示したフォトマスクにより露光し現像する。このとき、フォトマスクの三角形パターンと、Ｎｉ−Ｐ型５２の三角錐プリズム（凹）とを一致させるようアライメントする。
【０１１２】
次に、三角柱５３の形成されたＮｉ−Ｐ型５２に、再度、Ｎｉ−Ｐメッキを施した後、レジストを剥離する。これにより、図７（ｄ）（ｊ）に示すように、上記した工程４（図１（ｄ）参照）で形成されるものと同形状の、Ｎｉ−Ｐ型５４が形成される（工程１４）。
【０１１３】
次に、上記した工程５と同様に、工程１４によって作成されたＮｉ−Ｐ型５４の凸部分（三角柱）を切削する（工程１５）。切削部分を図７（ｅ）に示す。
これにより、図７（ｆ）（ｋ）に示すように、ＭＣＣＡ２５が完成する。
【０１１４】
このような工程１１〜１５によって形成されたＭＣＣＡ２５は、工程１〜５によって形成した場合と同様の形状・精度を有するものである。従って、このＭＣＣＡ２５を用いれば、十分な再帰反射率を有する再帰性反射板８を形成できる。
【０１１５】
また、図１（ａ）〜（ｊ），図７（ａ）〜（ｋ）を用いて示したＭＣＣＡ２５の形成工程に関し、以下のように述べることもできる。
すなわち、三角柱２３・５３を形成するために用いたフォトレジストの材料や、メッキ材料については、上記のものに限らず、同様の効果を得られるものであれば、どのようなものでも利用できる。
【０１１６】
例えば、フォトレジストとして、ＳＵ−８（化薬マイクロケム社製）などを用いてもよい。また、選択的に所望の部分にメッキを形成できる場合には、フォトレジストを使用する必要もない。
また、工程２・４，工程１２，１４での形状の転写に用いるメッキ材料についても、後の切削加工で所望の形状を得られるものであれば、特に限定されない。例えば、ＮｉやＣｕなどを用いてもよい。
【０１１７】
また、メッキ（電鋳）に限らず、工程２・４，工程１２，１４を、紫外線硬化型樹脂を用いた２Ｐ法（Photo Polymer法）によって行ってもよい。この場合、紫外線硬化型樹脂材料の一例として、ＭＰ−１０７（三菱レイヨン社製）を挙げられる。
【０１１８】
また、切削加工に用いた装置についても、必要な加工精度を得られる場合には、上記した装置に限らず、他のどのような装置を用いてもよい。
【０１１９】
また、図１（ｃ）に示したＮｉ−Ｐ（転写型，電鋳型）２３については、Ｎｉ−Ｐ製の平板を用いて三角錐プリズムアレイを形成し、その三角錐プリズム（凹）を、エンドミル加工によって除去する（三角柱形状の穴（三角柱穴）を形成する）ことでも形成できる。
【０１２０】
しかしながら、エンドミルによって鋭角を形成することは困難である。従って、図８（ａ）（ｂ）に示すように、三角形頂点部分にはコーナー（丸み）が必然的に形成される。
また、三角柱穴を小さくしすぎたり、大きくしすぎたりしてしまう。このため、三角柱穴がＭＣＣＡ２５の鞍点に到達しない、あるいは鞍点を超過してしまうといった事態が発生する。
従って、このような機械加工によってＮｉ−Ｐ２３を形成することは困難であるといえる。
【０１２１】
また、図１（ａ）〜（ｊ）および図７（ａ）〜（ｋ）を用いて示したＭＣＣＡ２５の形成工程では、所望の領域・形状にメッキ層を形成するために、フォトレジストによるマスキング処理をした後にメッキする手法を採用している。
この工程で問題のなるのは、フォトレジストのパターニング精度である。この精度は、最終的にできあがるＭＣＣＡ２５の精度に大きく影響する。
以下に、上記した工程１および工程１３において塗布するレジスト（マスキング用のフォトレジスト）の形状精度について説明する。
【０１２２】
図９（ａ）は、図１（ａ）に示した、レジストの三角柱２２を表面に形成したベース基板２１（工程１によってできるベース基板２１）を示す断面図である。また、図９（ｂ）は、図９（ａ）に示したベース基板２１を用いて形成される、Ｎｉ−Ｐ型（反転型）２３を示す断面図である。
【０１２３】
また、図１０（ａ）は、図７（ｃ）に示した、レジストの三角柱５３を表面に形成したＮｉ−Ｐ型５２（工程１３によってできるＮｉ−Ｐ型５２）を示す断面図である。また、図１０（ｂ）は、図１０（ａ）に示したＮｉ−Ｐ型５２を用いて形成される、Ｎｉ−Ｐ型５４を示す断面図である。
なお、これらの図では、最終形状のＭＣＣＡ２５の断面を点線で示している。
【０１２４】
図９（ａ）に示すように、工程１において想定されるフォト工程の不良は、
(i)膜厚不足
(ii)レジスト柱の細り
(iii)レジスト柱の太り
である。
【０１２５】
(i)の場合、レジストの三角柱２２が、所望の形状より低くなる。従って、図９（ｂ）に示すように、反転型２３では、三角柱がＭＣＣＡを形成するために十分な高さとならないため、最終形状に欠損が生じる。
【０１２６】
また、(ii)の場合、三角柱２２所望の幅（ＭＣＣＡ２５の鞍点間の距離）より狭くなる。従って、反転型２３では、三角柱の幅が鞍点を超えた大きさとなり、図８（ａ）（ｂ）に示した鞍点未達と同じ問題を発生する。
【０１２７】
さらに、(iii)の場合、三角柱２２が所望の形状（ＭＣＣＡの鞍点）より太くなる。従って、反転型２３では、三角柱の幅が鞍点に満たない大きさとなり、図８（ａ）（ｂ）に示した鞍点超過と同じ問題を発生する。
また、図１０（ａ）（ｂ）に示した工程１３に関しても、同様に(ii)(iii)の問題が発生する。
【０１２８】
従って、図１（ａ）に示したレジストの三角柱２２、および、図７（ｃ）に示した、レジストの三角柱５３のサイズは、以下のような条件１・２を満たすことが好ましいといえる。
〔条件１〕三角柱２２・５３の「最終形態となるＭＣＣＡ２５の複数の鞍点を通る面での断面」が、最終形態となるＭＣＣＡ２５の鞍点を結んでできる三角形と一致する。
〔条件２〕三角柱２２・５３が、三角錐プリズム（凸）を形成するために十分な高さを有する。
【０１２９】
従って、大面積にわたって均一な形状の三角柱２２・５３を形成する場合、『条件１・２を厳密に満たすパターン形成』と、メッキ膜を形成する前（転写前）の『全面に渡るパターンの形状評価』を行うことが好ましいといえる。
【０１３０】
また、上記のような条件１・２を考慮することなく、より簡単にレジストによるマスキングを行って、ＭＣＣＡ２５を形成することも可能である。
以下に、この場合のＭＣＣＡ２５の形成方法について説明する。
図１１（ａ）〜（ｈ）は、この形成工程を示す断面図である。また、図１１（ｉ）〜（ｐ）は、それぞれ、図１１（ａ）〜（ｈ）に対応する上面図である。
【０１３１】
この形成方法では、まず、図１１（ａ）（ｉ）に示すように、Ｃｕ／ＳＵＳ（ＳＵＳ上に１００μｍ程度Ｃｕメッキしたもの）などからなる平板基板に対し、図１４（ａ）に示したように切削加工を施し、三角錐プリズムアレイ５１を形成する（工程２１）。
なお、切削に使用した装置はＮＡＮＯ−１００であり、バイトとして単結晶ダイヤモンドバイトを用いた。
【０１３２】
次に、上記した工程２，工程１２と同様の手法で、図１１（ｂ）（ｊ）に示すように、Ｎｉ−Ｐ無電解メッキにより、三角錐プリズムアレイ５１のＮｉ−Ｐ（転写型，電鋳型）Ｎｉ−Ｐ型（反転型）５２を形成する（工程２２）。
【０１３３】
次に、Ｎｉ−Ｐ型５２上に、マスキング用フォトレジスト（ＴＦＲ−７９０（東京応化社製））を塗布する。このとき、三角錐プリズム（凹）の最も高い部分からレジスト表面までの間隔を１μｍ程度とするように、レジストの膜厚を調整する。
なお、この場合、レジスト膜は、三角錐プリズム（凹）の底点付近に溜まる。このため、レジスト最表面は椀状となる。
【０１３４】
その後、このレジスト膜を、図３に示したフォトマスクにより露光し、現像する。このとき、フォトマスクの三角形パターンと、三角錐プリズム（凹）とを一致させるようアライメントする。
これにより、図１１（ｃ）（ｋ）に示すように、Ｎｉ−Ｐ型５２の三角錐プリズム（凹）の表面を覆うように、レジスト膜６１が形成される（工程２３）。
【０１３５】
次に、図１１（ｄ）（ｌ）に示すように、レジスト膜６１の形成されたＮｉ−Ｐ型５２に、Ｎｉ−Ｐメッキを施し、メッキ膜６２を形成する（工程２４）。
このメッキ工程では、上記した工程２，工程１４のように、レジストの三角柱の隙間（穴）にメッキを埋め込む必要がない。このため、メッキ膜６２に発生する内部応力を低減できる。
また、図７（ｃ）（ｄ）に示した工程のように、レジストの三角柱５３間の微細な穴部分にメッキを埋め込む場合、メッキ膜中に、気泡などの噛みこみによる空隙部（ボイド）の発生が懸念される。これに対し、図１１（ｄ）（ｌ）に示した工程では、メッキ膜６２をほぼ平面状に形成するため、ボイドの発生を容易に回避できる。
【０１３６】
次に、図１１（ｅ）（ｆ）（ｍ）（ｎ）に示すように、このメッキ膜６２を、工程２１と同様に切削する（工程２５；図１１（ｅ）（ｍ）は、１方向だけ切削した状態であり、図１１（ｆ）（ｎ）は３方向の切削が終わった状態である）。
これにより、メッキ膜６２が、三角錐プリズムアレイ形状となる。
【０１３７】
なお、この切削は、Ｎｉ−Ｐ型５２の三角錐プリズム（凹）の上に、メッキ膜６２の三角錐プリズム（凸）が形成されるようになされる。
また、これにより、図１１（ｃ）に示したレジスト膜６１の外周部が、メッキ膜６２とＮｉ−Ｐ型５２との隙間から線状に露出（表出）する。
【０１３８】
従って、メッキ膜６２上の三角錐プリズム（凸）のうち、レジスト６１上のものは、外周部を表出したレジスト６１で囲まれているため、隣接する三角錐プリズム（凸）とは離間された状態となる。また、このレジスト膜６１上の三角錐プリズム（凸）は、レジスト膜６１によって、Ｎｉ−Ｐ型５２からも離れた状態となっている。
【０１３９】
次に、図１１（ｇ）（ｏ）に示すように、メッキ膜６２とＮｉ−Ｐ型５２との隙間から、レジスト膜６１と、その上にある三角錐プリズム（凸）とを剥離（除去）する（工程２６）。
すなわち、メッキ膜６２上に剥離剤を塗布することにより、レジスト膜６１の表出部分から剥離剤を内部に侵入させる。これにより、全てのレジスト膜６１を剥離できる。また、レジスト膜６１上の三角錐プリズム（凸）についても、Ｎｉ−Ｐ型５２および隣接する三角錐プリズム（凸）から離れた状態にあるため、レジスト膜６１の除去とともに剥がれ落ちる（リフトオフ）。
【０１４０】
これにより、図１１（ｈ）（ｐ）に示すように、ＭＣＣＡ２５が完成する。
このような工程２１〜２６によって形成されたＭＣＣＡ２５は、工程１〜５によって形成した場合と同様の形状・精度を有するものである。従って、このＭＣＣＡ２５を用いれば、十分な再帰反射率を有する再帰性反射板８を形成できる。
【０１４１】
また、工程２１〜２６では、基板上に塗布するレジストの膜厚を小さくできる。従って、１０μｍ以上の塗布の可能な「厚膜レジスト」を用いる必要はなく、通常のレジスト（膜厚１〜２μｍ）を使用できる。このため、Ｎｉ−Ｐ型５２の三角錐プリズム（凹）における正三角形の表面にレジスト膜６１を形成する際、その形成精度（加工精度；パターニング精度）を大幅に向上できる。また、製造工程を簡略化できる。
【０１４２】
また、上記の工程２３，２４において使用されるレジストやメッキの材料については、上記の材料に限らず、同様の効果を得られるものであれば、どのようなものでも利用できる。
例えばフォトレジストとしてＰＦＩ−２５Ａ（住友化学社製）などを用いてもよい。また、メッキ材料についても、後の切削加工で所望の形状を得られるものであれば、特に限定されない。例えば、ＮｉやＣｕなどを用いてもよい。
【０１４３】
また、工程２２での形状の転写についても、メッキ（電鋳）による転写に限らず、紫外線硬化型樹脂を用いた２Ｐ法（Photo Polymer法）によって行ってもよい。
この場合、紫外線硬化型樹脂材料の一例として、ＭＰ−１０７（三菱レイヨン社製）を挙げられる。
【０１４４】
また、切削加工に用いた装置についても、必要な加工精度を得られる場合には、上記した装置に限らず、他のどのような装置を用いてもよい。
【０１４５】
また、本実施の形態では、本表示装置の配向膜２・３として、水平配向膜を用いるとしている。しかしながら、配向膜の種類を限定する必要はない。
また、液晶層１の材料としては、入射光を、その進行方向を維持して通過させる（入射光が屈折して通過する場合も含む）透過状態（第一状態）と、入射光の進行方向を変える、すなわち、少なくとも散乱作用を有する散乱状態（第二状態）との間でスイッチングできるものであればよい。例えば、このような材料である光散乱型液晶としては、例えば、ネマティック−コレステリック相転移型液晶、ホログラフィック機能や回折機能を有する高分子分散型液晶、液晶ゲル等を挙げられる。
【０１４６】
また、以下に、図５に示した評価装置を用いた、再帰性反射率の測定方法について詳細に説明する。
サンプル（測定試料）は、複数の単位構造（例えば三角錐プリズムなど）が２次元的に配列された構成を有する。このサンプルをサンプルステージ４１に固定する。続いて、光源から出射された光をハーフミラー４３で反射させた後、集光角７．５°の対物レンズ４２を通してサンプルに垂直方向に入射させる。このとき、サンプルには、入射光によるビームスポット（測定スポット；直径Ｄ（例えば１ｍｍ））が形成される。
【０１４７】
入射光はサンプルによって反射される。この反射光のうち、略垂直方向に反射した光は、対物レンズ４２を通して受光部によって受光される。これにより、略垂直方向に反射した光の強度Ｉ１が測定される。なお、サンプルによる反射光には、再帰反射光が含まれている必要がある。再帰反射光とは、サンプルに入射する光がサンプル単位構造を構成する複数の面のうち、少なくとも２面で反射されて生じた、入射光ベクトルに対し負のベクトルを持った反射光である。
【０１４８】
次に、リファレンスとして誘電体ミラーを用意し、サンプルの代わりに評価装置のサンプルステージ４１に設置する。上記と同様に光源から出射された光をハーフミラー４３で反射させた後、対物レンズ４２を通して誘電体ミラーに垂直方向に入射させる。このとき、誘電体ミラーによって略垂直方向に反射された光は、対物レンズ４２を通して受光部によって受光される。これにより、略垂直方向に反射された光の強度Ｉｒが測定される。
【０１４９】
この後、サンプルによる反射光の強度Ｉ１の誘電体ミラーによる反射光の強度Ｉｒに対する比（Ｉ１／Ｉｒ）を求める。この比（Ｉ１／Ｉｒ）（％）が、サンプルの再帰反射率Ｒｒである。
【０１５０】
上記の評価方法では、サンプルによる反射光の強度Ｉ１を測定した後に、誘電体ミラーによる反射光の強度Ｉｒを測定するが、強度Ｉｒを先に測定してもよい。
【０１５１】
また、上記の評価方法では、特にパーソナルユースで使用され得るディスプレイパネルに用いられる再帰性反射板を評価することを想定している。そのような再帰性反射板の配列ピッチは、例えばディスプレイパネルの画素ピッチと略同じ、またはそれ以下である。従って、具体的には、このような評価方法で評価されるサンプルの配列ピッチは、２５０μｍ以下、望ましくは２０μｍ以下である。
【０１５２】
上記の評価装置で、より信頼性の高い評価を行うためには、光源から出射された光でサンプルに形成されるビームスポットの直径Ｄを、サンプルの単位構造の配列ピッチ以上とするように調整することが好ましい。ビームスポットの直径Ｄが単位構造の配列ピッチよりも小さいと、サンプル上でのビームスポットの形成位置によって、再帰反射率Ｒｒの測定値が大きくばらつく。例えば、単位構造の中心にビームスポットが形成されると、再帰反射率Ｒｒの測定値は大きくなり、逆に単位構造の外周（単位構造と単位構造の接続部）近傍にビームスポットが形成されると、再帰した光は受光部に入りにくくなるので、再帰反射率Ｒｒの測定値は小さくなる。このため、サンプルの再帰反射特性を高精度で評価することは困難となる。
【０１５３】
従って、ビームスポットの直径Ｄを、配列ピッチの３倍以上とすることがより好ましいといえる。ビームスポットの直径Ｄが単位構造の配列ピッチの３倍以上であれば、ビームスポットの形成される位置や、単位構造ごとの再帰反射特性のばらつきなどが再帰反射率Ｒの測定値に与える影響をより小さくできる。従って、より信頼性の高い評価が可能となる。
【０１５４】
また、対物レンズの集光角については、上記の値に限らず、上述した好ましい大きさのビームスポットを形成できるように、適宜設定することが好ましい。
集光角を２０°よりも大きくすると、測定試料におけるビームスポットが小さくなる。このため、上記したように、ビームスポットの形成位置によって、再帰反射率の測定値にばらつきが生じる。また、また再帰反射されずに戻ってきた光（散乱成分等）まで集光してしまう確率が高くなる。
【０１５５】
上記の評価方法は、例えば道路標識等に使用されるような、巨大なサイズの単位構造からなる再帰性反射板の評価には向いていない。これは、上述したような適切なサイズのビームスポットを形成することは困難であるからである。なお、ビームスポットの直径Ｄを十分に大きくできるように、特別に大きなサイズの対物レンズ４２を作製する場合にはこの限りではない。
【０１５６】
また、本発明の目的は、良好な再帰反射率有するコーナーキューブを、機械（切削）加工により作成する方法を提供するとともに、該コーナーキューブを用いた液晶表示装置を提供することであるともいえる。
【０１５７】
また、ＭＣＣＡ形状は、図１７（ａ）（ｂ）に示すように鞍点を中心に同一形状の三角錐プリズム凸が１つおきに並ぶと同時に、その間には凸プリズムの反転像である凹プリズムが配列される。ここで凸形状の三角錐については切削加工を用いて高精度で形成可能であること、凹形状は凸形状のメッキ技術（電鋳）を用いることで高精度の転写が可能であることから、高精度の三角錐プリズム（凹）も実現可能であるといえる。これらを組み合わせ、高精度の凸部形成，転写による『凹部』形成，凹部間に、更に凸部三角錐を形成，の工程でＭＣＣＡ形状が実現できるが、この工程でのポイントは、「凸部三角錐を形成」であり、この工程を実現するためには「１つおきに形成した凹部」とその間隙に形成する凸部を形成する（切削）ための領域を形成することが好ましい。
この点については『凸部』三角錐を形成する直前の形状が、図１（ｄ）に示すように三角錐プリズム（凹）１つおきに、『最終的に形成される三角錐プリズム(凸)』以上の体積となる領域を形成すれば、切削加工により三角錐プリズムの凹、凸が繰り返し形成された『コーナーキューブ』形状が実現される。
【０１５８】
また、現在の切削加工技術によれば、Ｚ軸（高さ）方向の精度、及びＸ，Ｙ軸（平面方向）の精度は０．０５〜０．１ｕｍ以内が実現可能であることから、特許文献４記載の方法で生じた「重ね合わせ」や「凸部のみ転写」で発生した位置合せの問題や、凹部、凸部のプリズム間の隙間、接着層のはみ出しなどの問題も解決でき、良好な再帰反射率を有するコーナーキューブが実現可能となる。尚、「三角錐プリズム凸を１つおきに形成する」ことを、三角錐プリズムアレイ（凸）形成後に機械加工の「穴」加工を用いて実現する方法も考えられるが、この場合には次の問題が生じる。
すなわち、三角形頂点部分にはコーナーＲが必然的に形成されると共に、仕上がった「穴」形状については、「穴が底辺まで達する（頂点は鞍点まで達しない）」場合、不要部分の削り残しが発生する。また、「穴の頂点が鞍点に達する（底辺を越え隣接するプリズムを削る）」場合、必要部分まで削り取ってしまう。この様な状況は、後の工程で調整（所望の形状に戻す）ことが不可能なため、所望の形状は機械加工のみで得ることができない。
【０１５９】
また、切削加工によりＭＣＣＡ形状を実現するためには『三角錐プリズム』の凸部を１つおきに形成する。但しこのとき、平板から切削すると、隣り合う三角錐は同時に形成されるため、切削加工以前に予め加工を施さない部分に凹部を形成する必要があるといえる。
【０１６０】
また、コーナーキューブを形成する３面のうち、少なくとも１面（好ましくは３面とも）で、図４に示すように、『三角錐プリズム（凹）を構成する面３１の延長線に対し、三角錐プリズム（凸）を構成する面３２が、０．０５〜０．１μｍの範囲で、三角錐プリズム（凸）の頂点側にシフトしている』ことが好ましいとしているが、その理由は、「発生する接合痕は光の波長に対し十分小さく、光学特性に影響しないこと」，「これ以上の精度（接合痕を無くすほどの精度）を必要としないこと」および「三角錐プリズム凹を構成する面の延長線に対し三角錐プリズム凸を構成する面が、三角錐プリズム凸の頂点側にシフトすることでオーバーハング状態が解消され、本実施例にて実現したＭＣＣＡ形状を『型』として使用した場合の離型性が向上すること」であるともいえる。
【０１６１】
また、図５に示す測定装置で、リファレンスを『三角錐プリズム』とし、ＭＣＣＡ２５を測定すると約１５０%という結果が得られた。この数値は『三角錐プリズム』とＭＣＣＡ２５の再帰反射領域の面積比と一致するため、ＭＣＣＡ２５は、ディスプレイ用途として使用可能な再帰反射率を有した再帰反射領域が１００％であることがわかる。
【０１６２】
また、図１（ａ）および図７（ｃ）に示した工程のフォトレジストパターニング精度は、最終的にできあがるＭＣＣＡ２５の精度に大きく影響する。図８（ａ）（ｂ）において、１つおきの三角錐プリズムとその間隙に穴（エンドミル）加工により形成した三角柱状の穴形状の問題について述べたが、マスキング用フォトレジストにも同様のことが言える。レジストの膜厚が不足している場合、レジストによるパターンが所望の形状（最終形態ＭＣＣＡの鞍点まで）より小さい。この場合メッキなど転写工程で形成される反転像は鞍点以上の三角柱となり、図８（ａ）（ｂ）に示した鞍点未達と同じ問題を発生する（図９，図１０参照）。
【０１６３】
また、レジスト柱が細い場合、レジストによるパターンが所望の形状（最終形態ＭＣＣＡの鞍点）より大きい。この場合メッキなど転写工程で形成される反転像は鞍点に満たない三角柱となり、図８（ａ）（ｂ）に示した鞍点超過（鞍点over）と同じ問題を発生する。
また、レジスト柱が太い場合、メッキなどの転写工程にて実現される転写像がＭＣＣＡを形成する十分な高さを有していないため、最終形状に欠損が生じる。また、「三角錐プリズム凹＋三角柱」場合も、同様の問題が想定される。これらの場合、いずれも上記三角柱の『最終形態となるＭＣＣＡの鞍点に相当する部分』での断面が、最終形態となるＭＣＣＡの鞍点を結んでできる三角形と一致することが第１条件である（第２の条件は先に述べた、三角柱が、三角錐プリズム凸を形成するのに十分な大きさを有することである）。本実施形態のレジストはこのようなパターニング精度を有したものであるが、大面積にわたり均一に形成するには、『厳密な条件だし』と転写前の『パターン全面に渡る形状評価』が好ましい。
【０１６４】
図１（ａ）〜（ｊ）の工程では、レジストによる三角柱でＭＣＣＡの高さの上限が決まる。このため十分な高さを必要としたが、図７（ａ）〜（ｋ）の工程では、鞍点から底点までは最初の切削（三角錐プリズム凸のピッチと切削深さ）で決まり、鞍点から頂点までは図７（ｄ）の工程におけるメッキなどの膜厚とＭＣＣＡピッチで決まり、マスキング用レジストの膜厚には依存しない。このことから、三角錐プリズム凹に必要なマスキング用レジストに必要となる最低条件は、「三角錐プリズム凹上に、１つおきに、凹部のみをカバーする」ことであり、レジストの最表面が平坦である必要もなく、レジストの高さについても大きな問題ではない。よってマスキング用レジストに用いる材料には、図１（ａ）および図７（ｃ）の工程で用いた１０ｕｍ以上塗布が可能な「厚膜レジスト」を用いる必要はなく、従って、図１１（ａ）〜（ｐ）の工程では、通常のレジスト（膜厚１〜２um）が使用可能となり所望のパターンでの加工精度が向上する。
【０１６５】
また、図１１（ｆ）で示したＮｉ−Ｐ型５２では、レジストを残した部分の外周部（鞍点よりレジストを残した側）でレジストが線状に表出する。従って、メッキ膜（２回目のメッキ膜）は全面に渡り三角錐プリズム凸となるが、レジスト上にメッキされた部分の三角錐プリズム凸は外周部がレジストであるため隣接する三角錐プリズム間は離間される。従って、膜は切削加工により部分的に（三角錐プリズム凸１つおきの外周部分）表出するため、その部分より剥離剤が侵入しパターニングしたレジスト全て除去することが可能である。また、外周部分でレジストの表出した三角錐プリズム凸は、下地である三角錐プリズム凹、隣接する三角錐プリズム凸と離間している（すなわち孤立した状態）ため、直下のレジスト層が除去されると同時に剥がれ落ちる（リフトオフ）。
【０１６６】
また、本発明を、以下の第１〜第６方法として表現することもできる。すなわち、第１方法は、ＭＣＣＡの鞍点を基準に、上側の三角錐プリズム凸と下側の三角錐プリズム凹に分け、下側の凹部を先に形成した後、上側の凸部を形成することを特徴とし、更に上側の形状を形成する工程として、少なくとも最終的に形成される凸型の三角錐プリズム形状以上の凸形状を形成し、前記凸形状を切削加工により削りだすことで凸型の三角錐プリズムを形成する方法である。
また、第２方法は、第１方法において、削りだし用の凸形状は、最終形状のＭＣＣＡの鞍点以上のみに形成される方法である。また、第３方法は、第１方法において、先に形成される形状である凹型の三角錐プリズムは、凸型の三角錐プリズムの反転により得られるものである。
【０１６７】
また、第４方法は、第１方法において、上記凸形状は略一致した形状、大きさからなる三角柱状の充填体から形成される方法である。また、第５方法は、第４方法において、三角柱の高さは最終形態となるＭＣＣＡの高さ以上（好ましくは、ＭＣＣＡの高さ＋５ｕｍ以下）である方法である。また、第６方法は、第１方法において、初回に形成される凹型の三角錐プリズムは平板から切削された三角錐プリズムアレイの反転像により得られる方法である。
【産業上の利用可能性】
【０１６８】
本発明は、反射型液晶表示装置の再帰性反射板に利用される、コーナーキューブアレイの製造に好適に利用できるものである。
【図面の簡単な説明】
【０１６９】
【図１】図１（ａ）〜（ｅ）は、本発明の一実施形態にかかる液晶表示装置の再帰性反射板の原盤となる、ＭＣＣＡの形成工程を示す断面図である。また、図１（ｆ）〜（ｊ）は、それぞれ、図１（ａ）〜（ｅ）に対応する上面図である。
【図２】本発明の一実施形態にかかる液晶表示装置の構成を示す断面図である。
【図３】図１に示したＭＣＣＡの形成工程において使用される、フォトマスクを示す説明図である。
【図４】図１に示した形成工程で形成されるＭＣＣＡの、接合痕に応じた段差を示す説明図である。
【図５】ＭＣＣＡの再帰反射率を測定するための評価装置を示す説明図である。
【図６】図６（ａ）（ｂ）は、図１（ａ）を用いて示した工程における、適正なレジスト膜厚を説明するための図である。
【図７】図７（ａ）〜（ｆ）は、ＭＣＣＡの他の形成工程を示す断面図である。また、図７（ｇ）〜（ｋ）は、それぞれ、図７（ａ）〜（ｆ）に対応する上面図である。
【図８】図８（ａ）（ｂ）は、エンドミルによって三角柱形状の穴を形成することに関する説明図である。
【図９】図９（ａ）は、図１（ａ）に示した、レジストの三角柱を表面に形成したベース基板を示す断面図である。また、図９（ｂ）は、図９（ａ）に示したベース基板を用いて形成される、Ｎｉ−Ｐ型（反転型）を示す断面図である。
【図１０】図１０（ａ）は、図７（ｃ）に示した、レジストの三角柱を表面に形成したＮｉ−Ｐ型を示す断面図である。また、図１０（ｂ）は、図１０（ａ）に示したＮｉ−Ｐ型を用いて形成される、反転型を示す断面図である。
【図１１】図１１（ａ）〜（ｈ）は、ＭＣＣＡのさらに他の形成工程を示す断面図である。また、図１１（ｉ）〜（ｐ）は、それぞれ、図１１（ａ）〜（ｈ）に対応する上面図である。
【図１２】図１２（ａ）（ｂ）は、散乱型液晶表示モードと再帰性反射板とを組み合わせる手法を用いた表示装置の動作原理を示す説明図である。
【図１３】三角錐プリズムアレイを示す説明図である。
【図１４】図１４（ａ）〜（ｄ）は、三角錐プリズムアレイの形成工程および形成結果を示す説明図である。
【図１５】三角錐プリズムアレイの再帰領域と非再帰領域とを示す説明図である。
【図１６】三角錐プリズムアレイの再帰領域と非再帰領域とを示す説明図である。
【図１７】図１７（ａ）は、コーナーキューブアレイを示す上面図であり、図１７（ｂ）は同じく斜視図である。
【図１８】コーナーキューブと三角錐プリズムとの関係を示す説明図である。
【図１９】従来のコーナーキューブアレイの形成方法を示す説明図である。
【図２０】従来のコーナーキューブアレイの形成方法を示す説明図である。
【図２１】図２１（ａ）〜（ｃ）は、従来のコーナーキューブアレイの形成方法における問題点を示す説明図である。
【符号の説明】
【０１７０】
１  液晶層
１ａ  液晶分子
１ｂ  液晶基
２・３  配向膜
４・５  電極
６  入射側基板
７  反射側基板
８  再帰性反射板
２１  ベース基板
２２  三角柱
２３  Ｎｉ−Ｐ基板
２４  反転型
２５  ＭＣＣＡ
４１  サンプルステージ
４２  対物レンズ
４３  ハーフミラー
５１  三角錐プリズムアレイ
５２  Ｎｉ−Ｐ型
５３  三角柱
５４  反転型
６１  レジスト膜
６２  メッキ膜
【図１】
2006189664.tif 000003
【図２】
2006189664.tif 000004
【図３】
2006189664.tif 000005
【図４】
2006189664.tif 000006
【図５】
2006189664.tif 000007
【図６】
2006189664.tif 000008
【図７】
2006189664.tif 000009
【図８】
2006189664.tif 000010
【図９】
2006189664.tif 000011
【図１０】
2006189664.tif 000012
【図１１】
2006189664.tif 000013
【図１２】
2006189664.tif 000014
【図１３】
2006189664.tif 000015
【図１４】
2006189664.tif 000016
【図１５】
2006189664.tif 000017
【図１６】
2006189664.tif 000018
【図１７】
2006189664.tif 000019
【図１８】
2006189664.tif 000020
【図１９】
2006189664.tif 000021
【図２０】
2006189664.tif 000022
【図２１】
2006189664.tif 000023